(57)【要約】【課題】タイトル選択画面を表示する前にパスワード認証が行われるよう光ディスクに記録し、プライバシーが害されるのを防止した光ディスク装置を提供する。【解決手段】ファイナライズの際、制御部４は、図５に示すようなパスワード入力画面をＤＶＤ−ＶＩＤＥＯフォーマットに基づいて作成する。制御部４は、パスワードの入力をユーザに要求し、パスワードを決定してもらう。制御部４は、タイトル選択画面をＤＶＤ−ＶＩＤＥＯフォーマットに基づいて作成する。制御部４は、ＦＰ＿ＰＧＣの情報をＤＶＤ−ＶＩＤＥＯフォーマットに基づいて作成する。このＦＰ＿ＰＧＣの情報には、光ディスク１００に記録されているコンテンツの再生が指示された時に、タイトル選択画面の表示の前にパスワード入力画面を表示して、入力されたパスワードが適正である場合のみタイトル選択画面を表示する表示手順が示される。【選択図】  図５
2008146715.tif 000002
【特許請求の範囲】
【請求項１】
自装置にマウントされている光ディスクにピックアップヘッドからレーザ光を照射し、その光ディスクにコンテンツをタイトル毎に記録する記録手段であって、前記光ディスクに記録されているタイトルの選択を、そのコンテンツの再生が指示された時に要求するタイトル選択画面も記録する記録手段を備えた光ディスク装置において、
パスワードの入力を要求するパスワード入力画面と、前記光ディスクに記録されているコンテンツの再生が指示された時に、前記タイトル選択画面の表示の前に前記パスワード入力画面を表示して、入力されたパスワードが適正である場合のみ前記タイトル選択画面を表示する表示手順を示す表示手順情報と、をＤＶＤ−ＶＩＤＥＯフォーマットに基づいて作成する作成手段を備え、
前記記録手段は、前記光ディスクに対する前記コンテンツの記録を終了する際、前記作成手段によって作成された前記パスワード入力画面と前記表示手順情報とを前記タイトル選択画面とともに前記光ディスクに記録し、
前記光ディスクに記録されている前記パスワード入力画面と前記タイトル選択画面とを表示する表示手段と、
前記表示手段において前記パスワード入力画面が表示された状態で、パスワードの入力を受け付けるパスワード受付手段と、
前記光ディスクに記録されているコンテンツの再生が指示された時、前記光ディスクから前記表示手順情報を読取り、前記表示手順情報に従って以下の動作を逐次行う再生手段と、を備える光ディスク装置。
（ST１）前記パスワード入力画面を表示するよう前記表示手段に指示し、
（ST２）前記パスワード受付手段で入力されたパスワードが適正であるか否かを判定し、
（ST３）前記パスワード受付手段で入力されたパスワードが適正である場合のみ、前記タイトル選択画面を表示するよう前記表示手段に指示し、
（ST４）前記表示手段が表示する前記タイトル選択画面において前記光ディスクに記録されているタイトルが選択されると、選択されたタイトルのコンテンツを読取って再生する。
【請求項２】
自装置にマウントされている光ディスクにピックアップヘッドからレーザ光を照射し、その光ディスクにコンテンツをタイトル毎に記録する記録手段であって、前記光ディスクに記録されているタイトルの選択を、そのコンテンツの再生が指示された時に要求するタイトル選択画面も記録する記録手段を備えた光ディスク装置において、
パスワードの入力を要求するパスワード入力画面と、前記光ディスクに記録されているコンテンツの再生が指示された時に、前記タイトル選択画面の表示の前に前記パスワード入力画面を表示して、入力されたパスワードが適正である場合のみ前記タイトル選択画面を表示する表示手順を示す表示手順情報と、を所定のフォーマットに基づいて作成する作成手段を備え、
前記記録手段は、前記光ディスクに対する前記コンテンツの記録を終了する際、前記作成手段によって作成された前記パスワード入力画面と前記表示手順情報とを前記タイトル選択画面とともに前記光ディスクに記録する光ディスク装置。
【請求項３】
前記光ディスクに記録されている前記パスワード入力画面と前記タイトル選択画面とを表示する表示手段と、
前記表示手段において前記パスワード入力画面が表示された状態で、パスワードの入力を受け付けるパスワード受付手段と、
前記光ディスクに記録されているコンテンツの再生が指示された時、前記光ディスクから前記表示手順情報を読取り、前記表示手順情報に従って以下の動作を逐次行う再生手段と、を備える請求項２に記載の光ディスク装置。
（ST１）前記パスワード入力画面を表示するよう前記表示手段に指示し、
（ST２）前記パスワード受付手段で入力されたパスワードが適正であるか否かを判定し、
（ST３）前記パスワード受付手段で入力されたパスワードが適正である場合のみ、前記タイトル選択画面を表示するよう前記表示手段に指示し、
（ST４）前記表示手段が表示する前記タイトル選択画面において前記光ディスクに記録されているタイトルが選択されると、選択されたタイトルのコンテンツを読取って再生する。
【請求項４】
前記所定のフォーマットは、ＤＶＤ−ＶＩＤＥＯフォーマットである請求項２又は３に記載の光ディスク装置。
【発明の詳細な説明】
【技術分野】
【０００１】
本発明は、光ディスクにコンテンツをタイトル毎に記録する光ディスク装置に関し、特に、光ディスクに記録されているタイトルの選択を、そのコンテンツの再生が指示された時に要求するタイトル選択画面も記録する光ディスク装置に関するものである。
【背景技術】
【０００２】
従来、ＣＤ、ＤＶＤ等の光ディスクに対し、コンテンツをタイトル毎に記録する光ディスク装置が実用化され、一般に普及している。この記録形式として、例えばＤＶＤ−ＶＩＤＥＯフォーマットがあげられる。
【０００３】
従来の光ディスク装置では、コンテンツの記録が終了すると、タイトル選択画面も光ディスクに記録する。タイトル選択画面とは、光ディスクに記録されているタイトルの選択を、そのコンテンツの再生が指示された時に要求する画面である。
【０００４】
そして、ユーザが光ディスクに記録されているコンテンツの再生を指示すると、従来の光ディスク装置は、タイトル選択画面を表示する。ユーザは、このタイトル選択画面を見て、所望の再生タイトルを選択する。ユーザによってタイトルが選択されると、従来の光ディスク装置は、選択されたタイトルのコンテンツを読取って再生する。
これにより、ユーザは、光ディスクに記録されているコンテンツを視聴する。
一方、特許文献１に記載されたようなディスク装置が提案されている。
【特許文献１】特開２００６−６６０４３公報
【発明の開示】
【発明が解決しようとする課題】
【０００５】
しかしながら、従来の光ディスク装置では、光ディスクを装置にセットするだけで該光ディスクを簡単に再生できてしまう。そのため、本人（第１のユーザ）が個人的に管理している光ディスクのコンテンツが本人以外の他のユーザ（第２のユーザ）に視聴されてしまうことがあった。
従って、従来の光ディスク装置では、第２のユーザに視聴されてしまうことによって、第１のユーザのプライバシーが害されるという問題があった。
【０００６】
本発明はこのような従来の課題を解決しようとするものであり、タイトル選択画面を表示する前にパスワード認証が行われるよう光ディスクに記録し、プライバシーが害されるのを防止した光ディスク装置を提供することを目的とする。
【課題を解決するための手段】
【０００７】
本発明の光ディスク装置は、前記課題を解決するために以下の構成を備えている。
【０００８】
（１）自装置にマウントされている光ディスクにピックアップヘッドからレーザ光を照射し、その光ディスクにコンテンツをタイトル毎に記録する記録手段であって、前記光ディスクに記録されているタイトルの選択を、そのコンテンツの再生が指示された時に要求するタイトル選択画面も記録する記録手段を備えた光ディスク装置において、
パスワードの入力を要求するパスワード入力画面と、前記光ディスクに記録されているコンテンツの再生が指示された時に、前記タイトル選択画面の表示の前に前記パスワード入力画面を表示して、入力されたパスワードが適正である場合のみ前記タイトル選択画面を表示する表示手順を示す表示手順情報と、を所定のフォーマットに基づいて作成する作成手段を備え、
前記記録手段は、前記光ディスクに対する前記コンテンツの記録を終了する際、前記作成手段によって作成された前記パスワード入力画面と前記表示手順情報とを前記タイトル選択画面とともに前記光ディスクに記録する。
【０００９】
この構成において、表示手順情報は、所定のフォーマットがＤＶＤ−ＶＩＤＥＯフォーマットであれば、ＦＰ＿ＰＧＣ（First Play ProGram Chain）の情報である。コンテンツの記録が終了する際とは、例えばファイナライズの際である。
まず、ＴＶ番組などのコンテンツを光ディスクに記録する第１の場面と、光ディスクに記録されているコンテンツの再生を開始する第２の場面と、に分けて説明する。
この構成では、第１の場面を想定している。
光ディスクへのコンテンツの記録がユーザから指示されると、記録手段は、光ディスクにコンテンツをタイトル毎に記録する。続いて、作成手段は、パスワード入力画面と表示手順情報とを作成する。この際、次回、コンテンツの再生が指示された時に、パスワード入力画面を表示して、このユーザに入力してもらうパスワードが適正である場合のみタイトル画面が表示されるよう表示手順情報を作成しておく。そして、コンテンツの記録が終了する際、記録手段は、作成手段によって作成されたパスワード入力画面と表示手順情報とをタイトル選択画面とともに光ディスクに記録する。
パスワード入力画面と表示手順情報とタイトル選択画面とが記録された上記の光ディスクは、第２の場面において使用される。上記の所定のフォーマットに対応している光ディスク装置にこの光ディスクがセットされ、コンテンツの再生が指示されると、この光ディスク装置は、まず表示手順情報を読取る。そして、光ディスク装置は、下記の（２）の（ＳＴ１〜ＳＴ４）の動作を逐次行う。即ち、この構成における光ディスク装置以外の他の光ディスク装置も、上記の所定のフォーマットに対応している限り、表示手順情報の読取と（ＳＴ１〜ＳＴ４）の動作とを行う。
つまり、ユーザは、適正なパスワードを入力しない限り、この構成における光ディスク装置で作成された光ディスクを再生できない。そのため、本人（第１のユーザ）が個人的に管理している光ディスクのコンテンツが本人以外の他のユーザ（第２のユーザ）に視聴されてしまうことがない。
従って、第１のユーザのプライバシーが害されるのを防止できる。
【００１０】
（２）前記光ディスクに記録されている前記パスワード入力画面と前記タイトル選択画面とを表示する表示手段と、
前記表示手段において前記パスワード入力画面が表示された状態で、パスワードの入力を受け付けるパスワード受付手段と、
前記光ディスクに記録されているコンテンツの再生が指示された時、前記光ディスクから前記表示手順情報を読取り、前記表示手順情報に従って以下の動作を逐次行う再生手段と、を備える請求項２に記載の光ディスク装置。
【００１１】
（ST１）前記パスワード入力画面を表示するよう前記表示手段に指示し、
（ST２）前記パスワード受付手段で入力されたパスワードが適正であるか否かを判定し、
（ST３）前記パスワード受付手段で入力されたパスワードが適正である場合のみ、前記タイトル選択画面を表示するよう前記表示手段に指示し、
（ST４）前記表示手段が表示する前記タイトル選択画面において前記光ディスクに記録されているタイトルが選択されると、選択されたタイトルのコンテンツを読取って再生する。
【００１２】
この構成では、第２の場面を想定している。
上記（１）で作成された光ディスクが光ディスク装置にセットされ、コンテンツの再生が指示されると、光ディスク装置は、表示手順情報を読取る。そして、光ディスク装置は、（ＳＴ１〜ＳＴ４）の動作を逐次行う。この際、ＳＴ２において、入力されたパスワードが適正でないと判定すると、再生手段は、再生を停止させてもよいし、電源をオフしてもよい。
以上により、ユーザは、適正なパスワードを入力しない限り、上記（１）で作成された光ディスクを再生できない。そのため、本人（第１のユーザ）が個人的に管理している光ディスクのコンテンツが本人以外の他のユーザ（第２のユーザ）に視聴されてしまうことがない。
従って、第１のユーザのプライバシーが害されるのを防止できる。
【００１３】
（３）前記所定のフォーマットは、ＤＶＤ−ＶＩＤＥＯフォーマットである。
【発明の効果】
【００１４】
この発明によれば、第１のユーザのプライバシーが害されるのを防止できる。
【発明を実施するための最良の形態】
【００１５】
以下、本発明の実施形態である光ディスク装置について説明する。
【００１６】
図１は、本発明の実施形態である光ディスク装置の主要な構成を示すブロック図である。光ディスク装置１は、光ディスク装置１の各部の動作を制御する制御部４と、光ディスク１００に対しデータの記録や読取を行うピックアップヘッド２（以下、PUヘッド２と称する。）と、RFアンプなどの記録再生部３と、ユーザの操作を受け付ける操作部５と、情報を表示する表示部７と、データを記憶する記憶部６と、音声データをアナログの再生音声信号に変換するＤ／Ａコンバータ１１と、映像データをアナログの再生映像信号に変換する映像処理部１３と、デコードされた映像信号に基づく映像にＯＳＤ（On Screen Display）画像を重ね合わせた合成映像を生成するＯＳＤ処理部１２と、ＴＶ放送信号を受信してＡＶ（オーディオビジュアル）データを取得する受信部１０と、を備えている。
光ディスク装置１は、所謂ＤＶＤレコーダである。また、光ディスク１００は、記録可能な光ディスクである。光ディスク１００は、例えば、ＤＶＤ−Ｒ、ＤＶＤ＋Ｒ、ＤＶＤ−ＲＷ、ＤＶＤ＋ＲＷ、又はＤＶＤ−ＲＡＭである。
【００１７】
PUヘッド２は、レーザダイオード（ＬＤ）、コリメータレンズ、ビームスプリッタ、対物レンズ、フォトディテクタ、スレッドモータ、及びアクチュエータを備えている（いずれも不図示）。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源である。フォトディテクタは、複数の受光素子で形成されており、光ディスク１００からの反射光を検出する。
【００１８】
まず、読取時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００１９】
記録再生部３は、ＰＵヘッド２における複数の受光素子の出力に基づいてＲＦ信号を生成し、前記ＲＦ信号を増幅する。そして、記録再生部３は、前記ＲＦ信号を処理してデータを取り出す。ここで、取り出される映像と音声等のデータは、例えばＭＰＥＧでエンコードされている。そして、記録再生部３は、映像と音声等のデータをデコードする。最後に、記録再生部３は、音声データをＤ／Ａコンバータ１１に、映像データをＯＳＤ処理部１２に、両データの同期を取りながら、それぞれ出力する。
【００２０】
Ｄ／Ａコンバータ１１は、伸長された音声データをアナログの再生音声信号に変換し、その再生音声信号を外部のテレビジョン１０１に出力する。
【００２１】
ＯＳＤ処理部１２は、不図示の画像メモリを内臓する。この画像メモリは、ＯＳＤ画像を示すＯＳＤ用データを格納するメモリである。
ＯＳＤ処理部１２は、制御部４から伝送される制御信号に基づいて、映像データをスルーして直接出力する場合と、映像データに基づく映像にＯＳＤ画像を重ね合わせた合成映像を生成してその合成映像データを出力する場合と、ＯＳＤ画像だけのＯＳＤ画像データを出力する場合と、で動作を切り替える。ＯＳＤ画像だけのＯＳＤ画像データを出力する場合だけは、再生していない時の動作となる。
【００２２】
映像処理部１３は、入力された映像データ、ＯＳＤ画像データまたは合成映像データをアナログの再生映像信号に変換し、外部のテレビジョン１０１に出力する。
【００２３】
Ｄ／Ａコンバータ１１及び映像処理部１３には、スピーカ内臓のテレビジョン１０１が接続されている。ユーザは、このテレビジョン１０１において、Ｄ／Ａコンバータ１１及び映像処理部１３から出力された映像信号に基づく映像、及び音声信号に基づく音声を視聴することができる。
【００２４】
次に、記録時の動作について説明する。
受信部１０は、例えばチューナである。受信部１０は、ＴＶ放送等を受信するアンテナから選択されているチャンネルのＴＶ放送信号を抽出して、Ａ／Ｄ変換してディジタル化し、出力する。
【００２５】
そして、記録再生部３は、入力されたデータを（例えば、ＭＰＥＧで）エンコードし、ディジタル信号をＰＵヘッド２に出力する。
【００２６】
そして、ＰＵヘッド２は、記録再生部３からディジタル信号が入力されると、このディジタル信号に応じて記録パワーのレーザ光を制御し、光ディスク１００の記録面に照射する。これにより、ＴＶ番組などのコンテンツが、光ディスク１００に記録される。
なお、記録時においても上記ＯＳＤ表示を行う。
【００２７】
操作部５は、ユーザが光ディスク装置１に対して各種の命令（コマンド）を入力するためのものであり、複数のキーが設けられている。光ディスク装置１に対してユーザが入力したコマンドは、操作部５から制御部４に伝送される。
上記複数のキーの中には、所望のオブジェクト（タイトル含む）にカーソルを移動させるための方向キーと、オブジェクトの選択を受け付ける選択キーと、１から９の数字を入力するためのテンキーと、光ディスク１００に記録されたコンテンツの再生を指示するための再生キーと、又は光ディスク１００へのコンテンツの記録を指示するための録画キーと、が含まれる。ここで、カーソルがオブジェクトに合わせられた状態で、ユーザは、選択キーを押下する。これにより、オブジェクトが選択される。
【００２８】
記憶部６は、例えばＥＥＰＲＯＭで構成されている。記憶部６は、光ディスク装置１の主制御プログラムを記憶する。
【００２９】
表示部７は、例えばLCD（Liquid Crystal Display）で構成される。表示部７は、時刻、光ディスク装置１の設定状態などを表示する。
【００３０】
制御部４は、例えばマイクロコンピュータで構成されている。さらに、上記主制御プログラムで処理されるデータを展開するためのワークフィールドとしてのＲＡＭを内臓する。制御部４は、光ディスク装置１にユーザから入力された命令に応じて光ディスク装置１の各部の動作を制御する。
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っている。しかし、本発明の実施形態では図示を省略している。
【００３１】
ここで、表示部７又はテレビジョン１０１が、本発明の「表示手段」に相当する。また、ＰＵヘッド２、記録再生部３および制御部４が、本発明の「再生手段」に相当する。また、ＰＵヘッド２、記録再生部３および制御部４が、本発明の「記録手段」に相当する。また、制御部４が、本発明の「作成手段」に相当する。また、操作部５が、本発明の「パスワード受付手段」に相当する。
【００３２】
図２は、光ディスク１００の記録領域を示す図である。光ディスク１００の記録領域は、その内周から外周にかけてＰＣＡ９０、ＲＭＡ９１、リードイン領域９２、データ領域９３、リードアウト領域９４に分けられている。
【００３３】
ＰＣＡ９０は、レーザパワーの校正が行われる領域である。
ＲＭＡ９１は、光ディスク装置１にとって必要な記録管理情報が記録されている領域である。
【００３４】
リードイン領域９２は、光ディスク１００上のデータ領域９３に記録されているデータのＴＯＣデータが記録されている領域である。このＴＯＣデータには、保存されたデータがファイナライズされているかどうかの情報、データが保存された日付、保存されたデータの光ディスク上のアドレス情報などが含まれている。
データ領域９３は、保存されたデータが記録されている領域である。
リードアウト領域９４は、保存されたデータがファイナライズされた場合に作成される領域である。このファイナライズとは、他の光ディスク装置と互換性を持つようにするために記録情報を整えるためのプロセスである。ファイナライズを行うことにより、他の光ディスク装置においても光ディスク１００の再生が可能となる。
【００３５】
図３は、ＤＶＤ−Ｖideoフォーマットで記録された光ディスク上のデータのデータ構造を示す図である。ＤＶＤ−Ｖideoフォーマットで記録された光ディスク１００上には、図３Ａに示すように、その内周から外周にかけてVMGI９５、VMGM_VOBS９６、VMGIbup９７、タイトルＴ１〜Ｔ３が記録されている。
VMGI(Video  Manager  Information)９５には、ＤＶＤ−Ｖideo全体の再生関連情報（制御情報）、いわゆるルートメニューの情報が記述されている。例えば、ＶＴＳＩのアドレス情報等もここに記述されている。また、VMGI９５には、VMGM_VOBS９６に含まれるコンテンツの再生手順（表示手順）を示すＦＰ＿ＰＧＣ（First Play ProGram Chain）の情報も記述されている。
なお、ＦＰ＿ＰＧＣの情報が、本発明の「表示手順情報」に相当する。
【００３６】
VMGM_VOBS(Video  Object  Set  for  VMG  Menu)９６には、ＶＯＢＳ１００３に記述されているコンテンツの再生に先立って再生されるコンテンツが記述されている。このコンテンツには、タイトル選択画面が含まれる。タイトル選択画面とは、光ディスク１００に記録されているタイトルの選択を、そのコンテンツの再生が指示された時に要求する画面である。
VMGIbup９７は、VMGI９５のバックアップファイルである。
また、タイトルＴ１は、ＶＴＳＩ（Ｖideo  Ｔitle  Ｓet  Ｉnformation）１００２とＶＯＢＳ（Ｖideo  Ｏbject  Ｓet）１００３とＶＴＳＩbup１００４とから構成されている（図３Ａ参照）。タイトルＴ２、Ｔ３も、タイトルＴ１と同様のデータ構造となっている。ＤＶＤ−Ｖideoフォーマットでは、最大９９タイトルまで収録が可能である。図３Ａでは、３タイトル収録されている。
【００３７】
ＶＴＳＩ１００２には、そのＶＴＳに対する制御情報が記述されている。
ＶＯＢＳ１００３には、タイトル再生のためのコンテンツ（ＴＶ番組など）が記述されている。該ＶＯＢＳ１００３には、図３Ｂに示すように、複数のセル１０１０〜１０１９から構成されている。
なお、ＶＯＢＳとＶＴＳとは、同じものを表す。
ＶＴＳＩbup１００４には、ＶＴＳＩ１００２のバックアップファイルが記述されている。
ＤＶＤ−Ｖideoフォーマットにおいて、データは、予め決められたセル単位で記録される。
セル１０１０は、複数のＶＯＢＵ（Ｖideo  Ｏbject  Ｕnit）１０２０〜１０２９で構成される（図３Ｃ参照）。１タイトルのセルの最大数は２５５セルである。そのため、光ディスクに１０時間分のデータを記録する場合、１セルは、例えば２分３０秒である。
ＶＯＢＵ１０２０には、先頭にＮＶ＿ＰＣＫ（Ｎavigatyion  Ｐack）１０３０が置かれ、続いてビデオデータやオーディオデータ（ＡＶデータ）などがパック化されて挿入される（図３D参照）。
【００３８】
ここで、ＴＶ番組などのコンテンツを光ディスク１００に記録する第１の場面と、光ディスク１００に記録されているコンテンツの再生を開始する第２の場面と、に分けて説明する。
まず、第１の場面について説明する。
【００３９】
図４は、本発明の実施形態である光ディスク装置において制御部が行う動作を示すフローチャートである。ユーザが上記録画キーを押下することにより、光ディスク装置１は光ディスク１００にＴＶ番組などのコンテンツをタイトル毎に記録していく（図３参照）。そして、制御部４は、光ディスク１００に対するコンテンツの記録が終了する際、図４に示す記録終了ルーチンを実行する。このルーチンでは、Ｓ６において上記のファイナライズが行われる。
【００４０】
光ディスク１００に対するコンテンツの記録が終了すると、制御部４は、パスワード入力画面を作成するか否かをユーザに問い合わせるメッセージを表示部７又はテレビジョン１０１に表示して、パスワード入力画面を作成するか否かを判定する（Ｓ１）。パスワード入力画面は、パスワードの入力を要求する画面である。テレビジョン１０１への表示は、上記のＯＳＤによって行われる。このメッセージは、例えば「パスワード入力画面を作成しますか？ＹｅｓかＮｏを選んで下さい。」である。そして、この判定は、操作部５の方向キーと選択キーでユーザに、パスワード入力画面を作成するか否かを選択してもらうことにより行われる。
【００４１】
図５は、パスワード入力画面の表示の一例を示す図である。
ユーザがパスワード入力画面を作成する旨を選択すると、制御部４は、図５に示すようなパスワード入力画面をＤＶＤ−ＶＩＤＥＯフォーマットに基づいて作成する（Ｓ２）。
【００４２】
さらに、制御部４は、パスワードの入力をユーザに要求し、パスワードを決定してもらう（Ｓ３）。この要求は、表示部７又はテレビジョン１０１によってメッセージを表示することにより行われる。このメッセージは、例えば「パスワードを設定して下さい。」である。また、このパスワードは、次回、コンテンツの再生が指示された時に（後述の図７Ｓ１０５参照）、このユーザに入力してもらうパスワードである。ユーザは、表示部７又はテレビジョン１０１におけるメッセージを見て、操作部５のテンキーにより、数字を入力する。これにより、パスワードが決定する。
なお、テレビジョン１０１への表示は、Ｓ１と同様に、上記のＯＳＤによって行われる。
【００４３】
続いて、制御部４は、図６に示すようなタイトル選択画面をＤＶＤ−ＶＩＤＥＯフォーマットに基づいて作成する（Ｓ４）。
図６は、タイトル選択画面の表示の一例を示す図である。
【００４４】
そして、制御部４は、ＦＰ＿ＰＧＣの情報をＤＶＤ−ＶＩＤＥＯフォーマットに基づいて作成する（Ｓ５）。ここで作成されるＦＰ＿ＰＧＣの情報には、光ディスク１００に記録されているコンテンツの再生が指示された時に、タイトル選択画面の表示の前にパスワード入力画面を表示して、入力されたパスワードが適正である場合のみタイトル選択画面を表示する表示手順が示される。このＦＰ＿ＰＧＣの情報には、Ｓ３で決定したパスワードも記述される。
【００４５】
最後に、制御部４は、上記のファイナライズをＰＵヘッド２等に実行させ（Ｓ６）、本処理を終了する。具体的には、制御部４は、ＦＰ＿ＰＧＣの情報を含むVMGI９５、パスワード入力画面及びタイトル選択画面を含むVMGM_VOBS９６、及びVMGIbup９７を光ディスク１００に記録するようＰＵヘッド２に指示する。その他、制御部４は、リードアウト領域９４の作成等もＰＵヘッド２に指示する。
【００４６】
一方、ユーザがパスワード入力画面を作成しない旨を選択すると、光ディスク装置１は、従来の光ディスク装置同様に、次の処理を逐次行う。制御部４は、タイトル選択画面を作成する（Ｓ４）。そして、制御部４は、ＦＰ＿ＰＧＣの情報を作成する（Ｓ５）。最後に、制御部４は、上記のファイナライズをＰＵヘッド２等に実行させ（Ｓ６）、本処理を終了する。
【００４７】
次に、第２の場面について説明する。
図７は、本発明の実施形態である光ディスク装置において再生開始時に制御部が行う動作を示すフローチャートである。この動作は、ＤＶＤ−ＶＩＤＥＯフォーマットに対応している光ディスク装置の動作である。即ち、光ディスク装置１以外の他の光ディスク装置も、ＤＶＤ−ＶＩＤＥＯフォーマットに対応している限り、図７に示すような動作を行う。
【００４８】
ユーザによって再生キーが押下されると、つまり、光ディスク１００に記録されているコンテンツの再生が指示されると、制御部４は、リードイン領域９２のＴＯＣデータをＰＵヘッド２に読取らせる（Ｓ１０１）。この結果、制御部４は、記録再生部３を介して、ＴＯＣデータを取得する。
なお、再生キーが押下された時点でＴＯＣデータを既に取得している場合、制御部４は、Ｓ１０１をスルーしても良い。
【００４９】
次に、制御部４は、ＦＰ＿ＰＧＣの情報をＰＵヘッド２に読取らせる（Ｓ１０２）。この結果、制御部４は、記録再生部３を介して、ＦＰ＿ＰＧＣの情報を取得する。
【００５０】
そして、制御部４は、ＦＰ＿ＰＧＣの情報に基づいてVMGM_VOBS９６の再生を開始する（Ｓ１０３）。即ち、制御部４は、ＦＰ＿ＰＧＣの情報に基づいて、以下の動作を逐次行う。
【００５１】
まず、制御部４は、図５に示すように、VMGM_VOBS９６に格納されているパスワード入力画面を表示する（Ｓ１０４）。ユーザは、表示部７又はテレビジョン１０１におけるパスワード入力画面を見て、操作部５のテンキーにより、数字を入力する。これにより、図８に示すように、パスワードが入力される。
図８は、パスワード入力後のパスワード入力画面の表示の一例を示す図である。
なお、図８では、現在、数字の９を示しているボックス（オブジェクト）にカーソル１１２が合わせられている。そして、ＯＫを示しているボックスにカーソル１１２を方向キーで移動させ、ユーザが選択キーを押下すると、パスワードの入力が完了する。
【００５２】
次に、制御部４は、ＦＰ＿ＰＧＣの情報に記述されているパスワードに基づいて、入力されたパスワードが適正であるか否かを判定する（Ｓ１０５）。ＦＰ＿ＰＧＣの情報に記述されているパスワードは、図４のＳ３でユーザに入力させたパスワードである。
【００５３】
入力されたパスワードが適正であれば、制御部４は、図６に示すようなタイトル選択画面を表示部７又はテレビジョン１０１に表示する（Ｓ１０６）。例えば図６において、タイトルＴ１を示しているボックスにカーソル１１１を移動させ、ユーザが選択キーを押下すると、タイトルの選択が完了する。
【００５４】
最後に、制御部４は、選択されたタイトルの再生を開始し（Ｓ１０７）、本処理を終了する。これにより、ＰＵヘッド２は、例えばタイトルＴ１のコンテンツを読取る。この結果、タイトルＴ１のコンテンツが再生される。
【００５５】
逆に、Ｓ１０５において、入力されたパスワードが適正でないと判定すると、制御部４は、再生を停止し（Ｓ１０８）、本処理を終了する。
【００５６】
以上のように、ユーザは、適正なパスワードを入力しない限り、光ディスク装置１を含む光ディスク装置に光ディスク１００をセットするだけでは光ディスク１００を再生できない。そのため、本人（第１のユーザ）が個人的に管理している光ディスク１００のコンテンツが本人以外の他のユーザ（第２のユーザ）に視聴されてしまうことがない。
従って、第１のユーザのプライバシーが害されるのを防止できる。
【図面の簡単な説明】
【００５７】
【図１】本発明の実施形態である光ディスク装置の主要な構成を示すブロック図
【図２】光ディスク１００の記録領域を示す図
【図３】ＤＶＤ−Ｖideoフォーマットで記録された光ディスク上のデータのデータ構造を示す図
【図４】本発明の実施形態である光ディスク装置において記録終了時に制御部が行う動作を示すフローチャート
【図５】パスワード入力画面の表示の一例を示す図
【図６】タイトル選択画面の表示の一例を示す図
【図７】本発明の実施形態である光ディスク装置において再生開始時に制御部が行う動作を示すフローチャート
【図８】パスワード入力後のパスワード入力画面の表示の一例を示す図
【符号の説明】
【００５８】
１−光ディスク装置
２−ピックアップヘッド
３−記録再生部
４−制御部
５−操作部
６−記憶部
７−表示部
１０−受信部
１１−Ｄ／Ａコンバータ
１２−ＯＳＤ処理部
１３−映像処理部
９０−ＰＣＡ
９１−ＲＭＡ
９２−リードイン領域
９３−データ領域
９４−リードアウト領域
１００−光ディスク
１０１−テレビジョン
１１１−カーソル
１１２−カーソル
【図１】
2008146715.tif 000003
【図２】
2008146715.tif 000004
【図３】
2008146715.tif 000005
【図４】
2008146715.tif 000006
【図５】
2008146715.tif 000007
【図６】
2008146715.tif 000008
【図７】
2008146715.tif 000009
【図８】
2008146715.tif 000010